(57)【特許請求の範囲】
【請求項１】
フロント部の両側に継手を介して折畳み出来るように取付けたツルが、メガネを掛ける際に開いた状態から、磁気力の作用下においてさらに外方向へ僅かに押し開くことが出来るメガネフレームのツルにおいて、該ツルは第１ツル部と第２ツル部を有し、両ツル部は継手を介して連結されて僅かな角度だけ屈曲することが出来るように構成され、そして、第１ツル部と第２ツル部には対向面を形成し、これら両対向面には磁石を取付けたことを特徴とするメガネフレームのツル。
【請求項２】
第１ツル部と第２ツル部の継手を内側に設け、磁石は外側に取付けて同じ極を対向して配置した請求項１記載のメガネフレームのツル。
【請求項３】
第１ツル部と第２ツル部の継手を外側に設け、磁石は内側に取付けて異なる極を対向して配置した請求項１記載のメガネフレームのツル。
【発明の詳細な説明】
【技術分野】
【０００１】
本発明はメガネフレームのツルを折畳み可能に連結すると共に、開いた状態から磁気力が作用して外方向へ僅かに開くことが出来るようにしたメガネフレームのツルに関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図４には最も基本的なバネ蝶番と称されるツル継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。従って、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。すなわち、普通のツルを連結する組み付け作業とは異なる。上記図４に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番を介してツルを取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。一方、バネ蝶番は金属製のツルを対象とし、樹脂製のツルには適用されていない。
【特許文献１】特開２００１−２９０１０８号に係る「連結構造」
【発明の開示】
【発明が解決しようとする課題】
【００１０】
このように、従来のツル継手構造には上記のごとき問題がある。本発明が解決しようとする課題はこれら問題点であり、本発明はツルの材質が限定されることなく、極めてシンプルな構造にて従来のバネ蝶番と同じ機能を具備できるように構成されるメガネフレームのツルを提供する。
【課題を解決するための手段】
【００１１】
本発明に係るメガネフレームのツルは第１ツル部と第２ツル部から成り、両ツル部は継手を介して連結している。しかし、この継手を介して第１ツル部と第２ツル部は屈曲するが該継手の外側又は内側には対向面を有しており、しかも屈曲角は僅かである。ツルは従来通り蝶番などの継手を介して折畳み出来るように取付けられている。
【００１２】
そして、上記第１ツル部と第２ツル部の間に形成される上記対向面には小さな磁石が取付けられている。この磁石の磁器力を利用して第２ツルに復元力を付勢することが出来る構造としている。磁石の磁気力は配置される向きに応じて吸引力として働く場合と反発力として働く場合があり、継手に対しての磁石の取付け位置によって違っている。
【発明の効果】
【００１３】
本発明のツルはフロント部に折畳み出来るように取付けられているが、該ツルは第１ツル部と第２ツル部から成って、継手を介して互いに連結して構成している。そして、両ツル部は継手を介して僅かに屈曲することが出来ると共に、対向面には磁石が取付けられている。従って、該磁石の磁気力を利用して従来のバネ蝶番と同じように機能させることが出来、その構造は極めて簡単である。
【００１４】
すなわち、継手の外側に第１ツル部と第２ツル部の対向面を形成し、これら対向面に同一極を対向して磁石を取付けることが出来、又は継手の内側に第１ツル部と第２ツル部の対向面を形成し、これら対向面に異なる極を対向して取付けることが出来る。
【実施例】
【００１５】
図１は本発明のツルを備えたメガネフレームを示す具体例であり、同図の１はフロント部、２はレンズが嵌るリム、３はヨロイ、４は連結部材、５は鼻当てパット、６はツルを夫々表している。両リム２，２は連結部材４にて連結され、フロント部１の両側には概略Ｌ形のヨロイ３，３がロウ付けされており、該ヨロイ３，３にはツル６，６が折畳み出来るように取付けられている。
【００１６】
ところで、本発明のツル６はヨロイ３に取付けられて折畳み出来るように成っているが、その構造は第１ツル部７と第２ツル部８から成り、第１ツル部７と第２ツル部８は継手を介して連結している。従って、第２ツル部８は該継手１０を介して第１ツル部７に対して僅かな角度だけ外方向へ屈曲可能なように繋がれている。
【００１７】
図２は本発明に係るツル６を表している。（ａ）はヨロイ３にツル６が取付けられている場合、（ｂ）は第２ツル部８が第１ツル部７から分離している状態を表している。ツル６は蝶番９を介してヨロイ３に取付けられて折畳みすることが出来る継手構造と成っている。該ツル６が第１ツル部７と第２ツル部８から構成している点は本発明の特徴であるが、ツル継手構造に関しては従来と同じである。
【００１８】
上記第１ツル部７と第２ツル部８は継手１０にて連結され、該継手１０を介して僅かな角度だけ外方向へ屈曲することが出来る。図２に示しているツル６は第２ツル部８の外側から押圧力Ｐを付加することで蝶番９を介して折畳まれる。継手１０の内側には第１ツル部７にストッパー面１１ａが形成され、第２ツル部８にはストッパー面１１ｂが形成されていて、両ストッパー面１１ａ，１１ｂは互いに当接している。従って、第２ツル部８だけが継手１０を介して折畳まれることはなく、ツル６全体が蝶番９を介して折畳まれる。
【００１９】
そして、継手１０の外側には対向面１２ａが第１ツル部７に形成され、対向面１２ｂが第２ツル部８に形成されている。又、対向面１２ａには磁石１３ａが取付けられ、対向面１２ｂには磁石１３ｂが取付けられている。ここで、磁石１３ａと磁石１３ｂはその極が一致する向きに配置されることで、両磁石１３ａ，１３ｂは互いに反発することになる。
【００２０】
図２のツル６は顔に掛けることが出来る状態にあって、開いている。この状態で第２ツル部８を外側へ押し開くならば、第２ツル部８は継手１０を介して外側へ屈曲することが出来る。第１ツル部７はヨロイ３に当ってこれ以上外側へ屈曲することは出来ない。第２ツル部８が外側へ屈曲することで対向面１２ａ，１２ｂに取付けてある磁石１３ａ，１３ｂが接近して反発力を強め、その結果、第２ツル部８を押戻す力(磁気力)が発生する。すなわち、従来のバネ蝶番と同じように作用することが出来る。
【００２１】
図３は本発明に係るツル６を表している他の実施例である。このツル６の場合、基本的な構造は前記図２と共通しているが、継手１０と磁石１３ａ，１３ｂの位置が逆に成っている。すなわち、継手１０はツル６の外側に位置し、磁石１３ａ，１３ｂはツル６の内側に配置されている。
【００２２】
磁石１３ａは第１ツル部７の先端に形成している対向面１２ａに取付けられ、磁石１３ｂは第２ツル部８の対向面１２ｂに取付けられている。そして、両磁石１３ａ，１３ｂは極を違わせた向きに取付けられている為に、互いに引き合う磁気力が作用し、両磁石１３ａ，１３ｂは当接している。従って、ツル６は蝶番９を介して折畳まれ、外方向へ押し開く際には第２ツル部８は継手１０を介して屈曲する。
【００２３】
第２ツル部８を外方向へ押し開くならば、当接し合っている磁石１３ａ，１３ｂは離れるが、互いに引き合う磁気力が常に作用することで第２ツル部８には内側へ戻される力が働く。すなわち、従来のバネ蝶番を備えたツルと同じように機能することが出来る。
【図面の簡単な説明】
【００２４】
【図１】本発明に係るツルを備えたメガネフレーム。
【図２】本発明のツルを表す実施例。
【図３】本発明のツルを表す他の実施例。
【図４】従来のバネ蝶番。
【符号の説明】
【００２５】
１  フロント部
２  リム
３  ヨロイ
４  連結部材
５  鼻当てパット
６  ツル
７  第１ツル部
８  第２ツル部
９  蝶番
10  継手
11  ストッパー面
12  対向面
13  磁石
【図１】
0004857445.tif 000002
【図２】
0004857445.tif 000003
【図３】
0004857445.tif 000004
【図４】
0004857445.tif 000005